(57)【特許請求の範囲】
【請求項１】
矩形状を呈し、長手方向へロール状に巻くこと又は長手方向へ層状に折り重ねることが可能な布地と、
予め用意された連結用の紐と、
前記矩形状を呈した前記布地の幅方向に位置する側縁部に沿って設けられ、前記布地との間に前記紐を通すための隙間が長手方向に連なって形成されるように一定間隔毎に前記布地の一方の面の幅方向の両側縁部に縫い付けられた帯状をなす布製の紐体である留め具と、
を備え、
前記布地が長手方向へロール状に巻かれまたは長手方向へ層状に折り重ねられたときに、前記紐は、前記留め具と前記布地の間の異なる隙間に通されて前記留め具の異なる箇所を連結し、前記布地のロール状に任意の巻数だけ巻かれた状態での形態または層状に任意の層数だけ折り重ねられた状態での形態を保持する、布製品。
【請求項２】
折り畳まれた状態での形態が矩形状を呈し、前記折り畳まれた状態から長手方向へロール状に巻くこと又は長手方向へ層状に折り重ねることが可能な布地と、
予め用意された連結用の紐と、
前記矩形状を呈した前記布地の幅方向に位置する側縁部に沿って設けられ、前記布地との間に前記紐を通すための隙間が長手方向に連なって形成されるように一定間隔毎に前記布地の一方の面の幅方向の両側縁部に縫い付けられた帯状をなす布製の紐体である留め具と、
を備え、
前記布地が前記折り畳まれた状態から長手方向へロール状に巻かれまたは長手方向へ層状に折り重ねられたときに、前記紐は、前記留め具と前記布地の間の異なる隙間に通されて前記留め具の異なる箇所を連結し、前記布地のロール状に任意の巻数だけ巻かれた状態での形態または層状に任意の層数だけ折り重ねられた状態での形態を保持する、布製品。
【発明の詳細な説明】
【技術分野】
【０００１】
本発明は、枕を形成することが可能な布製品に関する。
【背景技術】
【０００２】
従来から用いられている枕は、内部に羽毛、ウレタン、ソバガラ等の充填材が充填されている。枕に使用者の頭が載置されると、頭の自重により充填材が沈み、適当な高さとなるように構成されている。
また、枕には、通常、頭の載置部分に枕カバーが取り付けられ、就寝中に使用者から発生する汗等により枕が汚れるのを防いでいる。
【発明の概要】
【発明が解決しようとする課題】
【０００３】
枕は、使用者の体格や好みにより使用者毎に適切な高さが異なる。しかし、従来の枕は頭の自重により沈み込むだけであり、使用者の好みの高さに調整することができない。
また、枕カバーが取り付けられていても、就寝中に枕カバーがずれ、枕が汚れることがある。さらに、汗等により充填材が湿気を含み充填材にダニやカビなどが発生する恐れがある。このため、家庭で洗濯が可能な枕が求められているが、羽毛やウレタン、ソバガラ等の一般的な充填材は水洗いすることができない。
【０００４】
本発明は、上記した課題に着目してなされたものであり、使用者の好みの高さに調整でき、かつ洗濯を行うことができる枕を形成することが可能な布製品を提供することを目的とする。
【課題を解決するための手段】
【０００５】
本発明の上記目的は、広げられた状態での形態または折り畳まれた状態での形態が矩形状を呈し、前記広げられた状態または折り畳まれた状態で長手方向へロール状に巻くこと及び長手方向へ層状に折り重ねることが可能な布製のシートと、前記矩形状を呈した前記シートの幅方向に位置する側縁部に沿って設けられ、ロール状に任意の巻数だけ巻かれた状態での形態または層状に任意の層数だけ折り重ねられた状態での形態を保持するための留め具とを備えた布製品により達成される。
【０００６】
前記構成によれば、広げられた状態での形態または折り畳まれた状態での形態が矩形状を呈した布製のシートの一端の側または他端の側を、長手方向へロール状に任意の巻数だけ巻かれた状態とするか、または長手方向へ層状に任意の層数だけ折り重ねられた状態とするか、または、一端の側をロール状に任意の巻数だけ巻かれた状態とし、他端の側を層状に任意の層数だけ折り重ねられた状態とするか、いずれかの状態として、留め具により前記状態の形態を保持することで、枕とすることができる。
【０００７】
このように、矩形状を呈したシートが巻かれる巻数や折り重ねられる層数を任意に調整することで、枕を使用者の好みの高さに調整することができる。
また、シートは布製であるため、家庭での洗濯が可能となる。
【０００８】
前記シートは、タオル地から構成されていてもよい。また、前記シートは１枚の布地であってもよく、複数の布地が重ねられたものであってもよい。さらに、家庭での洗濯が可能であれば、複数の布地の間に充填材が充填されていてもよい。
【０００９】
なお、本発明の布製品の用途は枕に限定されず、他の用途に用いることができる。例えば、布製品のシートをタオル地で構成し、バスタオル等のタオルとして用いてもよい。タオル地がロール状に巻かれた状態または層状に折り重ねられた状態を留め具により保持することで、タオルの持ち運び時にこれらの状態の形態が崩れにくくなる。
【００１０】
上記構成の布製品の好ましい実施態様においては、前記留め具は、前記シートとの間に紐通し用の隙間が前記長手方向に連なって形成されるように一定間隔毎に前記シートに縫い付けられた紐体であることを特徴としている。
【００１１】
留め具とシートとの間に形成された隙間に連結用の紐を通し、その紐を他の場所の隙間にも通して、留め具の異なる箇所を紐で括って連結することにより、シートがロール状に巻かれた状態または層状に折り重ねられた状態の形態を保持することができる。
【００１２】
前記シートは、二つ折り、三つ折り、四つ折りのいずれかに折り畳まれた状態の形態であってもよい。
【００１３】
前記構成によれば、同じ厚みのシートを用いる場合、二つ折り、三つ折り、四つ折りのいずれかに折り畳まれた状態の矩形状を呈したシートは、折り畳まない状態の矩形状を呈したシートよりも厚みがあるため、折り畳まれた状態のシートから枕を成形することで、シートをロール状に巻く巻数、または層状に折り重ねる層数を少なくすることができる。
【発明の効果】
【００１４】
本発明に係る布製品によれば、広げられた状態での形態または折り畳まれた状態での形態が矩形状を呈した布製のシートの一端の側または他端の側を、長手方向へロール状に任意の巻数だけ巻かれた状態とするか、または長手方向へ層状に任意の層数だけ折り重ねられた状態とするか、または、一端の側をロール状に任意の巻数だけ巻かれた状態とし、他端の側を層状に任意の層数だけ折り重ねられた状態とするか、いずれかの状態として、留め具により前記状態の形態を保持することで、枕とすることができる。
このように、矩形状を呈したシートが巻かれる巻数や折り重ねられる層数を任意に調整することで、枕を使用者の好みの高さに調整することができる。
また、シートは布製であるため、家庭での洗濯が可能となる。
【図面の簡単な説明】
【００１５】
【図１】広げられた状態での形態が矩形状を呈するタオル地により構成される布製品の平面図である。
【図２】タオル地を巻いて枕を成形する方法を説明するための斜視図である。
【図３】布製品で成形した枕の斜視図である。
【図４】連結用の紐の平面図である。
【図５】連結用の紐を留め具とタオル地の間の隙間に通した状態を示す斜視図である。
【図６】タオル地を巻いて成形した枕の他の例を示す斜視図である。
【図７】タオル地を巻いて成形した枕の他の例を示す斜視図である。
【図８】芯材を用いた枕の成形方法を説明するための図であり、（Ａ）はタオル地に芯材を載置した状態の平面図、（Ｂ）は芯材にタオル地を巻き付けている状態の平面図、（Ｃ）は芯材を備えた枕の斜視図である。
【図９】タオル地を折り重ねて成形した枕の例を示す斜視図である。
【図１０】芯材を用いた枕の成形方法を説明するための図であり、（Ａ）はタオル地に芯材を載置した状態の平面図、（Ｂ）は芯材にタオル地を折り重ねた状態の平面図、（Ｃ）は芯材を備えた枕の斜視図である。
【図１１】タオル地を一端の側から巻くとともに他端の側から折り重ねて成形した枕の例を示す斜視図である。
【図１２】折り畳まれた状態での形態が矩形状を呈するタオル地により構成される布製品を説明するための図であり、（Ａ）は留め具が縫い付けられたタオル地の平面図、（Ｂ）は二つ折りに折り畳まれたタオル地の斜視図である。
【図１３】折り畳まれた状態での形態が矩形状を呈するタオル地により構成される布製品を説明するための図であり、（Ａ）は留め具が縫い付けられたタオル地の平面図、（Ｂ）は三つ折りに折り畳まれたタオル地の斜視図である。
【図１４】折り畳まれた状態での形態が矩形状を呈するタオル地により構成される布製品を説明するための図であり、（Ａ）は留め具が縫い付けられたタオル地の平面図、（Ｂ）は四つ折りに折り畳まれたタオル地の斜視図である。
【発明を実施するための形態】
【００１６】
図１〜図１１は本発明の第１実施形態を示すもので、広げられた状態での形態が矩形状を呈したタオル地２０からなる布製のシートにより構成される布製品１０について説明している。図１２〜図１４は本発明の第２実施形態を示すもので、折り畳まれた状態での形態が矩形状を呈したタオル地２０からなる布製のシートにより構成される布製品１０について説明している。
【００１７】
以下、本発明の第１実施形態について、図面を参照しながら説明する。
図１に示すように、本発明の布製品１０は枕４０を成形することが可能なものであり、タオル地２０と留め具３０Ａ、３０Ｂを備えている。
【００１８】
タオル地２０は、広げられた状態での形態が矩形状を呈し、広げられた状態で長手方向へロール状に巻くこと及び長手方向へ層状に折り重ねることが可能である。
【００１９】
留め具３０Ａ、３０Ｂは、タオル地２０の一方の面に縫い付けられた帯状をなす布製の紐体であり、矩形状を呈したタオル地２０の幅方向に位置する両側縁部２１Ａ、２１Ｂに沿って設けられている。各留め具３０Ａ、３０Ｂには、タオル地２０に各留め具３０Ａ、３０Ｂを縫い付けるための縫い目３１が長手方向に一定間隔毎に施されており、留め具３０Ａ、３０Ｂとタオル地２０との間に後述する紐５０を通すための隙間３２が長手方向に連なるように複数形成されている。この留め具３０Ａ、３０Ｂにより、タオル地２０がロール状に任意の巻数だけ巻かれた状態での形態または層状に任意の層数だけ折り重ねられた状態での形態を保持することができる。
【００２０】
なお、本実施形態での留め具３０Ａ、３０Ｂは、帯状をなす布製の紐体を用いて形成しているが、必ずしも帯状である必要はなく、また、布地以外、例えば糸を撚ったものであってもよい。さらに、留め具３０Ａ、３０Ｂは、雄型、雌型のフックをタオル地２０の表裏面それぞれに所定の間隔で取り付けたものであってもよい。タオル地２０がロール状に任意の巻数だけ巻かれた状態での形態または層状に任意の層数だけ折り重ねられた状態で、対向している雄型のフックと雌型のフックを嵌め合わせることで、これらの状態での形態を保持することができる。
【００２１】
本発明の布製品１０を使用して図３に示す枕４０を成形する方法について説明する。
図２に示すように、使用者はタオル地２０を長手方向にロール状に任意の巻数だけ巻き、枕４０として好みの高さとする。図２の例ではタオル地２０は２回巻かれている。
次に、２本の連結用の紐５０Ａ、５０Ｂを用意する。各紐５０Ａ、５０Ｂは、例えば、図４に示すように帯状の布テープの両端に雄型と雌型のフック５１、５１が取り付けられたものである。紐５０Ａ、５０Ｂは、タオル地２０と留め具３０Ａまたは３０Ｂとの間の隙間３２に通されるもので、この紐５０Ａ、５０Ｂによって留め具３０Ａ、３０Ｂ毎に異なる箇所を連結するが、タオル地２０が巻かれた状態での形態が保持できれば、どのようなものであってもよい。
【００２２】
図３に示すように、使用者は、留め具３０Ａとタオル地２０との間の隙間３２の複数箇所に紐５０Ａを通して紐５０Ａの雄型と雌型のフック５１を留める。詳細には、図５に示すように、タオル地２０がロール状に巻かれた状態では留め具３０Ａも巻かれて上下に重なり合うように位置している。図５では留め具３０Ａは三重に重なり合っている。使用者は、紐５０Ａを、重なり合う留め具３０Ａとタオル地２０との隙間３２（図５における３箇所の隙間３２Ａ、３２Ｂ、３２Ｃ）に順に通し、留め具３０Ａの上下の異なる箇所を紐５０Ａでひとくくりにして、雄型と雌型のフック５１を留める。
同様に、紐５０Ｂを留め具３０Ｂとタオル地２０との間の複数の隙間３２Ａ、３２Ｂ、３２Ｃに通して紐５０Ｂの雄型と雌型のフック５１を留める。
このように紐５０Ａ、５０Ｂを留め具３０Ａ、３０Ｂとタオル地２０との間の隙間３２に通して、留め具３０Ａ、３０Ｂ毎に異なる箇所を紐５０Ａ，５０Ｂで括って連結することで、タオル地２０が巻かれた状態での形態が保持され、枕４０が成形される。
【００２３】
上記の方法で成形された枕４０を使用する際には、タオル地２０のロール状に巻かれていない部分や折り重ねられていない部分を使用者の肩側と反対側に位置させて、頭部を支えるとともに、タオル地２０のロール状に巻かれた部分や折り重ねられた部分に首部を載置する。
なお、成形された枕４０は上記の使用態様に限定されず、タオル地２０のロール状に巻かれていない部分や折り重ねられていない部分を使用者の肩側に位置させて肩部を支えてもよい。
【００２４】
なお、図３に示す例では、各側縁部２１Ａ、２１Ｂの留め具３０Ａ、３０Ｂはそれぞれ１本の連結用の紐５０Ａ、５０Ｂを用いて連結されているが、複数の連結用の紐を用いて連結してもよい。
【００２５】
また、本実施形態では本発明の布製品１０を用いて枕４０を成形しているが、本発明の布製品１０は他の用途に用いてもよく、例えば、バスタオル等のタオルとして用いてもよい。タオル地がロール状に巻かれた状態または層状に折り重ねられた状態を留め具により保持することで、タオルの持ち運び時にこれらの状態の形態が崩れにくくなる。
【００２６】
図６〜図８は、タオル地２０を長手方向にロール状に巻いて枕４０を成形する方法の他の例を示す図である。
図６に示す例は、タオル地２０を長手方向にロール状に巻き切ったものである。その他の構成は図１〜図５と同様であるため同一符号を付して説明を省略する。このように紐５０Ａ、５０Ｂ（５０Ｂは図示せず）を留め具３０Ａ、３０Ｂとタオル地２０との間の隙間３２に通して、留め具３０Ａ、３０Ｂ毎に異なる箇所を紐５０Ａ、５０Ｂで括って連結することで、タオル地２０を長手方向にロール状に巻き切った状態での形態が保持され、枕４０が成形される。
【００２７】
図７に示す例は、矩形状を呈するタオル地２０を、長手方向の一端の側からロール状に巻くとともに、他端の側からもロール状に巻いたものである。タオル地２０の一端の側から巻かれた部分に設けられている留め具３０Ａ、３０Ｂそれぞれにおいて、留め具３０Ａ、３０Ｂとタオル地２０との隙間３２に紐５０Ａ−１、５０Ｂ−１を通して、留め具３０Ａ、３０Ｂの異なる箇所を括って連結する。また、タオル地２０の他端の側から巻かれた部分に設けられている留め具３０Ａ、３０Ｂそれぞれにおいても、隙間３２に紐５０Ａ−２、５０Ｂ−２を通して、留め具３０Ａ、３０Ｂの異なる箇所を括って連結する。その他の構成は図１〜図５と同様であるため同一符号を付して説明を省略する。
このように、４つの紐５０Ａ−１、５０Ａ−２、５０Ｂ−１、５０Ｂ−２によって留め具３０Ａ、３０Ｂ毎に異なる箇所を括って連結することで、タオル地２０が一端の側と他端の側から巻かれた状態での形態が保持され、枕４０が成形される。
【００２８】
図８（Ｃ）に示す例は、タオル地２０を長手方向へロール状に巻いた状態において、その中心部に芯材６０を備えたものである。
芯材６０は丸軸体であり、タオル地２０の幅方向の長さと略同一の長さである。芯材６０の長手方向の両端にはタオル地２０へ芯材６０を固定するための固定用紐６１Ａ、６１Ｂが取り付けられている。各固定用紐６１Ａ、６１Ｂの先端には、雄型及び雌型のホック６２が取り付けられている。図８（Ａ）に示すように、タオル地２０を広げた状態で、タオル地２０の巻き始め端部上に芯材６０を置く。本例では、タオル地２０の留め具３０Ａ、３０Ｂが縫いつけられていない面に芯材６０を配置しているが、タオル地２０の留め具３０Ａ、３０Ｂが縫いつけられた面に芯材６０を配置してもよい。
【００２９】
次に、図８（Ｂ）に示すように、タオル地２０を芯材６０に巻きつけてロール状に巻いていく。このとき、芯材６０の固定用紐６１Ａ、６１Ｂをタオル地２０の両側縁部２１Ａ、２１Ｂから引き出しタオル地２０上で固定用紐６１Ａ、６１Ｂ同士をホック６２で連結することで、芯材６０が枕４０に固定される。
【００３０】
さらに、タオル地２０を任意の巻数だけ巻いた後、連結用の紐５０Ａ、５０Ｂを用意し、留め具３０Ａ、３０Ｂそれぞれにおいて、留め具３０Ａ、３０Ｂとタオル地２０との隙間３２に紐５０を通して、留め具３０Ａ、３０Ｂの異なる箇所を括って連結する。これにより、タオル地２０が巻かれた状態での形態が保持され、図８（Ｃ）に示す枕４０が成形される。その他の構成は図１〜図５と同様であるため同一符号を付して説明を省略する。
芯材６０は、タオル地、布等から形成されており、芯材６０の径に応じて枕４０の高さが調整される。また芯材６０の硬さを任意に選択することで、枕４０を使用者の好みの硬さに調整することが可能である。
【００３１】
図９、図１０は、タオル地２０を長手方向へ層状に折り重ねて枕４０を成形する方法の例である。
図９に示す例は、タオル地２０が長手方向に層状に任意の層数だけ折り重ねられたものである。図９ではタオル地２０は３層に折り重ねられている。
次に、連結用の紐５０Ａ−１、５０Ａ−２を用意し、留め具３０Ａの一端の側と他端の側とのそれぞれにおいて、留め具３０Ａとタオル地２０との隙間３２に紐５０Ａ−１、５０Ａ−２を通して、留め具３０Ａの異なる箇所を括って連結する。また、連結用の紐５０Ｂ−１、５０Ｂ−２を用意し、留め具３０Ｂの一端の側と他端の側とのそれぞれにおいて、留め具３０Ｂとタオル地２０との隙間３２に紐５０Ｂ−１、５０Ｂ−２を通して、留め具３０Ｂの異なる箇所を括って連結する。このように、紐５０Ａ−１、５０Ａ−２、５０Ｂ−１、５０Ｂ−２により留め具３０Ａ、３０Ｂ毎に異なる箇所を括って連結することで、タオル地２０が層状に折り重ねられた状態での形態が保持され、枕４０が成形される。その他の構成は図１〜図５と同様であるため同一符号を付して説明を省略する。
【００３２】
図１０（Ｃ）に示す例は、タオル地２０を長手方向へ層状に折り畳んだ状態において、その中心部に矩形状の芯材７０を備えたものである。
芯材７０は直方体であり、タオル地２０の幅方向の長さと略同一の長さである。図１０（Ａ）に示すように、タオル地２０を広げた状態で、タオル地２０の折り始め端部上に芯材７０を置く。本例では、タオル地２０の留め具３０Ａ、３０Ｂが縫いつけられていない面に芯材７０を配置しているが、タオル地２０の留め具３０Ａ、３０Ｂが縫いつけられた面に芯材７０を配置してもよい。
【００３３】
次に、図１０（Ｂ）に示すように、芯材７０を包み込むようにタオル地２０を折り畳む。
次に、連結用の紐５０Ａ−１、５０Ａ−２を用意し、留め具３０Ａの一端の側と他端の側とのそれぞれにおいて、留め具３０Ａとタオル地２０との隙間３２に紐５０Ａ−１、５０Ａ−２を通して、留め具３０Ａの異なる箇所を括って連結する。また、連結用の紐５０Ｂ−１、５０Ｂ−２を用意し、留め具３０Ｂの一端の側と他端の側とのそれぞれにおいて、留め具３０Ｂとタオル地２０との隙間３２に紐５０Ｂ−１、５０Ｂ−２を通して、留め具３０Ｂの異なる箇所を括って連結する。紐５０Ａ−１、５０Ａ−２、５０Ｂ−１、５０Ｂ−２により留め具３０Ａ、３０Ｂ毎に異なる箇所を括って連結することで、タオル地２０が層状に折り重ねられた状態での形態が保持され、図１０（Ｃ）に示す枕４０が成形される。その他の構成は図１〜図５と同様であるため同一符号を付して説明を省略する。
芯材７０は、タオル地や布等から形成されており、芯材７０の厚みに応じて枕４０の高さが調整される。また芯材７０の硬さを任意に選択することで、枕４０を好みの硬さに調整が可能である。
【００３４】
図１１は、枕４０を成形する方法の他の例である。
矩形状を呈するタオル地２０を、長手方向の一端の側からロール状に巻くとともに、他端の側からは層状に折り重ねている。次に、連結用の紐５０Ａ−１、５０Ａ−２、５０Ａ−３を用意し、留め具３０Ａのタオル地２０の巻き終わりの端部付近において、留め具３０Ａとタオル地２０との隙間３２に紐５０Ａ−１を通し、留め具３０Ａの異なる箇所を括って連結する。さらに、留め具３０Ａのタオル地２０の層状に折り重ねられた部分の一端の側と他端の側とのそれぞれにおいて、留め具３０Ａとタオル地２０との隙間３２に５０Ａ−２、５０Ａ−３を通し、留め具３０Ａの異なる箇所を括って連結する。
【００３５】
また、連結用の紐５０Ｂ−１、５０Ｂ−２、５０Ｂ−３を用意し、留め具３０Ｂのタオル地２０の巻き終わりの端部付近において、留め具３０Ｂとタオル地２０との隙間３２に紐５０Ｂ−１を通し、留め具３０Ｂの異なる箇所を括って連結する。さらに、留め具３０Ｂのタオル地２０の層状に折り重ねられた部分の一端の側と他端の側とのそれぞれにおいて、留め具３０Ｂとタオル地２０との隙間３２に５０Ｂ−２、５０Ｂ−３を通し、留め具３０Ｂの異なる箇所を括って連結する。このように、紐５０Ａ−１、５０Ａ−２、５０Ａ−３、５０Ｂ−１、５０Ｂ−２、５０Ｂ−３により留め具３０Ａ、３０Ｂ毎に異なる箇所を括って連結することで、タオル地２０が巻かれた状態での形態及びタオル地２０が折り重ねられた状態での形態が保持され、枕４０が成形される。
【００３６】
前記構成によれば、広げられた状態での形態が矩形状を呈したタオル地２０の一端の側または他端の側を、長手方向へロール状に任意の巻数だけ巻かれた状態とするか、または長手方向へ層状に任意の層数だけ折り重ねられた状態とするか、または、一端の側をロール状に任意の巻数だけ巻かれた状態とし、他端の側を層状に任意の層数だけ折り重ねられた状態とするか、いずれかの状態として、留め具３０Ａ〜３０Ｃにより前記状態の形態を保持することで、枕とすることができる。
このように、矩形状を呈したタオル地２０が巻かれる巻数や折り重ねられる層数を任意に調整することで、枕を使用者の好みの高さに調整することができる。
また、枕４０はタオル地２０を用いて構成されているため、家庭での洗濯が可能となる。
【００３７】
次に、本発明の第２実施形態を図１２〜図１４に示す。第１実施形態においては、タオル地２０は広げられた状態での形態が矩形状を呈し、長手方向へロール状に巻いたり長手方向へ層状に折り重ねることで枕４０を成形するものであるが、第２実施形態においては、タオル地２０が折り畳まれた状態での形態が矩形状を呈し、長手方向へロール状に巻いたり長手方向へ層状に折り重ねたりして枕４０を成形するものである。
なお、以下の説明においては、第１実施形態と図中同一または相当部分には同一符号を付し、その説明を省略する。
【００３８】
図１２（Ｂ）に示す例は、タオル地２０が、平行な両側辺２２Ａ、２２Ｂを重ねるように二つ折りに折り畳まれたものである。図１２（Ａ）に示すように、二つ折りに折り畳まれる前のタオル地２０の一方の面には、タオル地２０の折り目部分２３に沿って留め具３０Ｂが、折り目部分２３と平行な両側辺２２A、２２Ｂの近傍部分に沿って留め具３０Ａ、３０Ｃが、それぞれ縫い付けられている。
【００３９】
図１２（Ｂ）に示すように、タオル地２０が二つ折りに折り畳まれた状態での形態は矩形状を呈しており、留め具３０Ａ、３０Ｂが幅方向の両側縁部２１Ａ、２１Ｂに位置する。すなわち、タオル地２０の重ねられた側辺２２Ａ、２２Ｂの側の側縁部２１Ａの表側には、留め具３０Ａが位置し、タオル地２０が折り返された折り目部分２３側の側縁部２１Ｂの表側には、留め具３０Ｂが位置する。また、留め具３０Ｃは、重ねられた側辺２２Ａ、２２Ｂの側の側縁部２１Ａの裏側に位置する。
なお、タオル地２０には、両側辺２２Ａ、２２Ｂのうち、折り畳まれたときに表側となる側辺２２Ａにのみ留め具３０Ａが縫い付けられていてもよい。
【００４０】
上記のようなタオル地２０を長手方向へロール状に巻くこと及び長手方向へ層状に折り重ねて、枕４０を成形することが可能である。
【００４１】
図１３は、第２実施形態の他の例を示す。
図１３（Ｂ）に示す例は、タオル地２０が三つ折りに折り畳まれたものであり、平行な両側辺２２Ａ、２２Ｂのうち一方の側辺２２Ｂが内側に折り込まれている。
図１３（Ａ）に示すように、三つ折りに折り畳まれる前のタオル地２０の一方の面には、タオル地２０の２箇所の折り目部分２３Ａ、２３Ｂに沿って、留め具３０Ｂ、３０Ｃが、折り目部分２３Ａ、２３Ｂと平行な側辺２２Ａの近傍部分に沿って留め具３０Ａが、それぞれ縫い付けられている。
【００４２】
図１３（Ｂ）に示すように、タオル地２０が三つ折りに折り畳まれた状態での形態は矩形状を呈しており、留め具３０Ａ、３０Ｂ、３０Ｃが幅方向の両側縁部２１Ａ、２１Ｂに位置する。すなわち、タオル地２０の折り目部分２３Ｂ及び側辺２２Ａが重ねられた側の側縁部２１Ａの表側には、留め具３０Ａが位置し、タオル地２０が折り返された折り目部分２３Ｂ側の側縁部２１Ｂの表側には、留め具３０Ｂが位置する。また、留め具３０Ｃは、側縁部２１Ａの裏側に位置する。
なお、タオル地２０には、両側辺２２Ａ、２２Ｂのうち、折り畳まれたときに表側となる側辺２２Ａにのみ留め具３０Ａが縫い付けられていてもよい。
【００４３】
上記のようなタオル地２０を長手方向へロール状に巻くこと及び長手方向へ層状に折り重ねて、枕４０を成形することが可能である。
【００４４】
図１４は第２実施形態の他の例を示す。
図１４（Ｂ）に示す例は、タオル地２０が四つ折りに折り畳まれたものであり、平行な両側辺２２Ａ、２２Ｂが内側に折り込まれている。
図１４（Ａ）に示すように、四つ折りに折り畳まれる前のタオル地２０の一方の面には、タオル地２０の３箇所の折り目部分２３Ａ、２３Ｂ、２３Ｃに沿って留め具３０Ａ、３０Ｂ、３０Ｃが縫い付けられている。
【００４５】
図１４（Ｂ）に示すように、タオル地２０が四つ折りに折り畳まれた状態での形態は矩形状を呈しており、留め具３０Ａ、３０Ｂ、３０Ｃが幅方向の両側縁部２１Ａ、２１Ｂに位置する。すなわち、タオル地２０の折り目部分２３Ａ、２３Ｂが重ねられた側の側縁部２１Ａの表側には、留め具３０Ａが位置し、タオル地２０が折り返された折り目部分２３Ｃ側の側縁部２１Ｂの表側には、留め具３０Ｂが位置する。また、留め具３０Ｃは、重ねられた折り目部分２３Ａ、２３Ｂの側の側縁部２１Ａの裏側に位置する。
なお、タオル地２０には、両側辺２２Ａ、２２Ｂのうち、折り畳まれたときに表側となる折り目部分２３Ａにのみ沿って留め具３０Ａが縫い付けられていてもよい。
【００４６】
上記のようなタオル地２０を長手方向へロール状に巻くこと及び長手方向へ層状に折り重ねて、枕４０を成形することが可能である。
【００４７】
二つ折り、三つ折り、四つ折りのいずれかに折り畳まれた状態のタオル地２０は、折り畳まない状態のタオル地２０よりも厚みがあるため、折り畳まれた状態のタオル地２０から枕４０を成形することで、タオル地２０をロール状に巻く、または層状に折り重ねる際に、巻数または折り畳む層数を少なくすることができる。
【００４８】
また、図１２（Ｂ）、図１３（Ｂ）、図１４（Ｂ）に示す、二つ折り、三つ折り、四つ折りのいずれかに折り畳まれた状態の形態のタオル地２０の側縁部２１Ａでは、側辺２２Ａ、２２Ｂや折り目部分２３Ａ、２３Ｂが重ねられた状態となっている。一方で、側縁部２１Ｂは、折り目部分２３、２３Ａ、２３Ｃが位置している。
【００４９】
このように、側縁部２１Ａは、側辺２２Ａ、２２Ｂや折り目部分２３Ａ、２３Ｂが重ねられた状態となっているため、側縁部２１Ｂに比べて枕４０の使用時にタオル地２０がずれて枕４０が型崩れしやすくなる。このため、側縁部２１Ａでは、表側と裏側に留め具３０Ａ、３０Ｃを縫いつけ、紐５０を留め具３０Ａ、３０Ｃの両方に通して留め具３０Ａ、３０Ｃを連結することで、枕４０の使用時にタオル地２０の側縁部２１Ａ側が型崩れすることを防いでいる。
【００５０】
なお、タオル地２０の折り畳み方は上記の第２実施形態の各態様に限定されるものではない。第２実施形態の図１３の態様では、タオル地２０は、側辺２２Ｂをタオル地２０の内側に折り込んで三つ折りに折り畳まれているが、例えば、側辺２２Ａ、２２Ｂの両方が外側（表側及び裏側）に位置するように三つ折りに折り畳まれてもよい。また、第２の実施形態の図１４の態様では、タオル地２０は、平行な両側辺２２Ａ、２２Ｂを内側に折り込んで四つ折りに折り畳まれているが、例えば、側辺２２Ａ、２２Ｂの両方または一方が外側に位置するように四つ折りに折り畳まれてもよい。
【００５１】
なお、第１実施形態、第２実施形態では布製品１０を構成するシートとしてタオル地２０を用いたが、布製品１０を構成するシートはタオル地に限定されるものではなく、広げられた状態での形態または折り畳まれた状態での形態が矩形状を呈し、広げられた状態または折り畳まれた状態で長手方向へロール状に巻くこと及び長手方向へ層状に折り重ねることが可能であり、家庭での洗濯が可能であれば、どのようなものであってもよい。例えば、シートは、１枚の布地であってもよく、複数の布地を重ねたものであってもよく、複数の布地の間に充填材が充填されていてもよい。また、シートは、綿、麻等の織物または不織布からなる表地層と裏地層の間に綿等の充填材を充填した充填材層を介在させ、キルティングを施して形成された積層体であってもよい。
【符号の説明】
【００５２】
１０  布製品
２０  タオル地
２１Ａ、２１Ｂ  側縁部
３０Ａ、３０Ｂ、３０Ｃ  留め具
３１  縫い目
３２（３２Ａ、３２Ｂ、３２Ｃ）  タオル地と留め具の間の隙間
４０  枕
５０Ａ、５０Ｂ、５０Ａ−１〜５０Ａ−３、５０Ｂ−１〜５０Ｂ−３  連結用の紐
５１Ａ、５１Ｂ  雄型と雌型のフック
６０、７０  芯材
６１  固定用紐
６２  雄型及び雌型のホック
【図１】
0006644463.tif 000002
【図２】
0006644463.tif 000003
【図３】
0006644463.tif 000004
【図４】
0006644463.tif 000005
【図５】
0006644463.tif 000006
【図６】
0006644463.tif 000007
【図７】
0006644463.tif 000008
【図８】
0006644463.tif 000009
【図９】
0006644463.tif 000010
【図１０】
0006644463.tif 000011
【図１１】
0006644463.tif 000012
【図１２】
0006644463.tif 000013
【図１３】
0006644463.tif 000014
【図１４】
0006644463.tif 000015